(57)【要約】      （修正有）【課題】熟練を要さずに容易に組立分解可能なことに加えて、基本となる構造単位に対して幅方向への拡張を簡単に行える木製什器を構成する。【解決手段】木製棚１は、互いに前後方向に離間する一対の縦桟２ａ，２ｂ、および、これら縦桟２ａ，２ｂを幅方向両側から挟み込んで接続する一対の横桟２２ａ，２２ｂを備え、当該横桟２２ａ，２２ｂが上下方向に沿って複数個所に設けられてなる少なくとも左右一対の側枠体２０，２１と、左右の側枠体２０，２１のうち互いに対向する一方の側枠体としての左側枠体２０の右側横桟２２ｂと他方の側枠体としての右側枠体２１の左側横桟２２ａとの間に架け渡され、当該側枠体２０，２１同士を幅方向に沿って所定の離間距離に保つ棚板３とを有し、棚板３を上下方向の２箇所に配置して構成した。【選択図】図１
2017029556.tif 000002
【特許請求の範囲】
【請求項１】
互いに前後方向に離間する一対の縦桟、および、これら縦桟を幅方向両側から挟み込んで接続する一対の横桟を備え、当該横桟が上下方向に沿って複数個所に設けられてなる少なくとも左右一対の側枠体と、
前記左右の側枠体のうち互いに対向する一方の側枠体の横桟と他方の側枠体の横桟との間に架け渡され、当該側枠体同士を幅方向に沿って所定の離間距離に保つ棚板とを有し、
前記棚板を少なくとも上下方向の２箇所に配置したことを特徴とする木製什器。
【請求項２】
前記棚板として、少なくとも、前記一対の側枠体の上端部にそれぞれ固定される天板と、当該天板よりも下方で前記一対の側枠体に固定される棚板とが用いられる請求項１記載の木製什器。
【請求項３】
前記一対の側枠体が、互いに前後方向にずれて配置されており、
前記棚板として、前記側枠体に固定されない１または２以上の棚板がさらに用いられ、当該棚板が、少なくとも幅方向の２辺が互いに平行で、前記側枠体に沿って前方から挿入されて前記横桟上に載置される構成である請求項２記載の木製什器。
【請求項４】
前記棚板は、その幅方向両端部に下向きコ字状の取付部を有し、当該取付部を前記横桟に上方からそれぞれ嵌め合わせて、互いに対向する前記横桟同士の間に前記棚板を架け渡すように構成している請求項１記載の木製什器。
【請求項５】
前記棚板の四隅を前記縦桟の側面形状に沿って切り欠き、これら切欠部を左右の前記側枠体が備える前後一対の縦桟の側面にそれぞれ突き合わせて、互いに対向する前記横桟同士の間に前記棚板を架け渡すように構成している請求項１記載の木製什器。
【請求項６】
前記棚板が設けられていない高さ位置において、左右一対の側枠体のうち互いに対向する一方の側枠体の前記横桟と他方の側枠体の前記横桟との間に着脱可能にオプション部材を架け渡すように構成している請求項１〜５の何れかに記載の木製什器。
【請求項７】
前記オプション部材が、互いに対向する前記側枠体の前記横桟間に位置決め状態で架け渡される支持部と、当該支持部上に載置され、幅方向の長さが当該横桟間の距離よりも小さい引出部とを有する引き出しである請求項６記載の木製什器。
【請求項８】
左右一対の前記側枠体の後端部、前記天板の後端部及び前記天板よりも下方で前記側枠体に固定される前記棚板の後端部にあてがわれる固定部材を有する請求項２又は３記載の木製什器。
【請求項９】
前記固定部材が、有孔板によって構成された背板である請求項８記載の木製什器。
【請求項１０】
左右一対の前記側枠体の後端部間に亘って筋交を設けている請求項１〜７の何れかに記載の木製什器。
【発明の詳細な説明】
【技術分野】
【０００１】
組立および拡張が容易な木製什器に関する。
【背景技術】
【０００２】
従来より、テーブルや棚などの什器には、様々なものが市場に供されている。たとえば特許文献１には、左右に配置した側枠体と当該側枠に着脱自在に架け渡される棚板とからなる組立棚が開示されている。この組立棚は、具体的に、特許文献１の図１に示すように、側枠体が前後一対の主柱およびこれら主柱間に固定された複数の支持杆を有し、棚板の下面に形成した落し溝を支持杆に係合させることで、棚板を側枠体間に架け渡すことが可能であり、熟練を要さない組立および分解が簡単な構成を実現している。
【先行技術文献】
【特許文献】
【０００３】
【特許文献１】特開平９−１０８０７６号公報
【発明の概要】
【発明が解決しようとする課題】
【０００４】
ところで、このような組立棚の幅寸法は、棚板の左右方向の長さによって画一的に決まり、必要に応じて幅方向へ拡張できるようなものではないため、組立棚のレイアウトに限界があり、この点で使い勝手が良好とは言い難い。なお、このような課題は、棚だけでなく、テーブルなどの他の什器も同様に内包するものである。このように従来の什器のうち特に木製のものは、組立分解が簡単な構成であっても拡張性に乏しく、簡単な組立分解および拡張を両立可能なものではない。
【０００５】
本発明は、このような課題を有効に解決するものであり、熟練を要さずに容易に組立分解が可能なことに加えて、基本の構造単位に対して幅方向への拡張を簡単に行える木製什器を提供することを目的とする。
【課題を解決するための手段】
【０００６】
本発明は、かかる目的を達成するために、次のような手段を講じたものである。
【０００７】
すなわち、本発明に係る木製什器は、互いに前後方向に離間する一対の縦桟、および、これら縦桟を幅方向両側から挟み込んで接続する一対の横桟を備え、当該横桟が上下方向に沿って複数個所に設けられてなる少なくとも左右一対の側枠体と、前記左右の側枠体のうち互いに対向する一方の側枠体の横桟と他方の側枠体の横桟との間に架け渡され、当該側枠体同士を幅方向に沿って所定の離間距離に保つ棚板とを有し、前記棚板を少なくとも上下方向の２箇所に配置したことを特徴とする。
【０００８】
このような構成であると、一対の横桟がそれぞれ縦桟の両側から幅方向に突出するので、左右の側枠体のうち内々に位置する横桟同士の間に棚板を架け渡すことで、左右の側枠体と少なくとも上下２箇所に配した棚板とが連結されて什器として自立するに足る剛性の構造単位を比較的簡単に構成できるとともに、更にこの構造単位に対して幅方向に離間させた位置に別の側枠体を配置し、先に構成された構造単位との間で内々に位置する横桟同士の間に棚板を掛け渡せば、什器を幅方向に簡単に拡張することができる。また、側枠体は、前後一対の縦桟を横桟で挟み込んで形成されるものであって、それ自体の作製が簡単であるとともに、このような側枠体を予め用意しておけば、現場で側枠体間に棚板を架け渡し、当該棚板を必要に応じて適宜側枠体に固定するだけで什器として簡単に組み立てを行える。分解についても棚板を取り外すことで簡単に行える。したがって、木製であっても組立分解および拡張が簡単に行え、自由なレイアウトが可能な木製什器を実現することができる。
【０００９】
特に、什器としての自立性を確保しつつ、全体を木製にすることが可能な構成にするためには、前記棚板として、少なくとも、前記一対の側枠体の上端部にそれぞれ固定される天板と、当該天板よりも下方で前記一対の側枠体に固定される棚板とが用いられる構成とすることが好ましい。
【００１０】
さらに、特に部屋のコーナーに適切に配置可能としつつ、側枠体間に側枠体の位置決めに関与しない棚板を簡単に抜き差し可能な構成にして、構造の斬新さと利便性とを両立させるためには、前記一対の側枠体が、互いに前後方向にずれて配置されており、前記棚板として、前記側枠体に固定されない１または２以上の棚板がさらに用いられ、当該棚板が、少なくとも幅方向の２辺が互いに平行で、前記側枠体に沿って前方から挿入されて前記横桟上に載置される構成とすることが好ましい。
【００１１】
特に、左右一対の側枠体の位置決めを簡単かつ適切に行えるようにするには、前記棚板が、その幅方向両端部に下向きコ字状の取付部を有し、当該取付部を前記横桟に上方からそれぞれ嵌め合わせて、互いに対向する前記横桟同士の間に前記棚板を架け渡すように構成していることが好ましい。
【００１２】
あるいは、左右一対の側枠体同士を簡単に離間させて離間距離を確保するためには、前記棚板の四隅を前記縦桟の側面形状に沿って切り欠き、これら切欠部を左右の前記側枠が備える前後一対の縦桟の側面にそれぞれ突き合わせて、互いに対向する前記横桟同士の間に前記棚板を架け渡すように構成することが好ましい。
【００１３】
上記木製什器の利便性を向上させるためには、前記棚板が設けられていない高さ位置において、左右一対の側枠体のうち互いに対向する一方の側枠体の横桟と他方の側枠体の横桟との間に着脱可能にオプション部材を架け渡すように構成していることが好ましい。
【００１４】
上記オプション部材としては、互いに対向する前記側枠の前記横桟間に位置決め状態で架け渡される支持部と、当該支持部上に載置され、幅方向の長さが当該横桟間の距離よりも小さい引出部とを有する引き出しが挙げられる。
【００１５】
とりわけ、組立強度を向上させて、木製什器の枠体としての剛性を一層強化するためには、左右一対の前記側枠体の後端部、前記天板の後端部及び前記天板よりも下方で前記側枠体に固定される前記棚板の後端部にあてがわれる固定部材を有することが好ましい。
【００１６】
このように木製什器の剛性を強化しつつ背後からの採光を可能にするためには、前記固定部材が有孔板によって構成された背板であることが好ましい。
【００１７】
或いは、左右一対の側枠体の後端部間に亘って筋交を設ける構成とすることが好ましい。
【発明の効果】
【００１８】
以上説明した本発明によれば、側枠体間に棚板を架け渡して必要に応じて適宜側枠体に固定するだけで什器として簡単に組み立て可能であるとともに、すでに組み立てられた構造単位に対して幅方向に離間させた位置に別の側枠体を配置し、先に構成された構造単位との間で内々に位置する横桟同士の間に棚板を掛け渡すことで、構造単位を幅方向に簡単に拡張できるので、木製であっても組立分解および拡張が簡単で自由なレイアウトが可能な木製什器を提供することができる。
【図面の簡単な説明】
【００１９】
【図１】本発明の一実施形態に係る木製什器の基本ユニットを示す斜視図。
【図２】同什器を示す正面図。
【図３】同什器を図２に示す切断面線Ａ−Ａで切断した側断面拡大図。
【図４】同什器を図２に示す切断面線Ｂ−Ｂで切断した平断面拡大図。
【図５】側枠体と棚板との連結部分を示す図。
【図６】同什器に取り付け可能な引き出しを示す分解斜視図。
【図７】変形例を示す正面図。
【図８】同変形例を図７に示す切断面線Ｄ−Ｄで切断した側断面拡大図。
【図９】同変形例における側枠体と棚板との連結部分を示す図。
【図１０】同変形例に取り付け可能な引き出しを示す斜視図。
【図１１】他の変形例を示す図。
【図１２】さらに他の変形例を示す図。
【図１３】図１２に示す構成の変形例を示す平面図。
【発明を実施するための形態】
【００２０】
以下、本発明の一実施形態を、図面を参照して説明する。
【００２１】
図１は、本実施形態の木製什器である木製棚１の基本ユニット１Ｕを示す斜視図である。図２は、図１に示す木製棚１の正面図である。図３は、図２に示す木製棚１を切断面線Ａ−Ａで切断して示す側断面拡大図である。図４は、図２に示す木製棚１を切断面線Ｂ−Ｂで切断して示す平断面拡大図である。図５は、図２に示す側枠体２０と棚板３との連結部分Ｘを示す図である。図１に示す木製棚１の基本ユニット１Ｕは、左右一対の側枠体２０，２１と棚板３とを有する。
【００２２】
図１〜３に示すように、各側枠体２０，２１は、等厚矩形板状をなし、互いに前後方向に離間して配置された一対の木製の縦桟２ａ，２ｂと、等厚矩形板状をなし、前後一対の縦桟２ａ，２ｂを幅方向両側から挟み込んで接続する一対の木製の横桟２２ａ，２２ｂとを備え、このような一対の横桟２２ａ，２２ｂが縦桟２ａ，２ｂの上端部から下端部に亘って等間隔で複数個所に設けられてなる梯子様のものである。以後、前後一対の縦桟２ａ，２ｂのうち、前方に配置されるものを前側縦桟２ａ、後方に配置されるものを後側縦桟２ｂと呼ぶ場合がある。また、一対の横桟２２ａ，２２ｂのうち、それが挟み込む縦桟２ａ（２ｂ）の向かって右側に配置されるものを右側横桟２２ｂ、左側に配置されるものを左側横桟２２ａとよぶ場合がある。横桟（貫）２２ａ，２２ｂは、図５（ａ）に示すように、縦桟２ａ，２ｂの側面２ａ１に形成された横溝２０ａに嵌めこまれて縦桟２ａ，２ｂに取り付けられる。横溝２０ａは、上下寸法が横桟２２ａ，２２ｂと略等しく構成され、横桟２２ａ，２２ｂの一部（具体的には横桟２２ａ，２２ｂの幅方向の半分以下）を埋め込むことが可能に構成され、これにより縦桟２ａ，２ｂへの横桟２２ａ，２２ｂの取付強度を向上させている。また、前側縦桟２ａの後端面から後側縦桟２ｂの前端面の範囲において、前後の縦桟２ａ，２ｂを幅方向に挟み込む左側横桟２２ａと右側横桟２２ｂとの間には、所定の隙間Ｓが形成され、後述する取付金具３１が挿入される。
【００２３】
図１，２に示すように、棚板３は、基本ユニット１Ｕにおいて、左側枠体２０の右側横桟２２ｂとこれに対向する右側枠体２１の左側横桟２２ａとの間に架け渡され、当該側枠体２０，２１同士を幅方向に沿って所定の離間距離に保つもので、少なくとも上下方向の２箇所、本実施形態においては側枠体２０，２１の上端部および高さ方向略中央よりもやや下方に配置されている。なお、上下方向に配置される棚板３，３の間隔が広いほど、左右の側枠体２０，２１を安定して自立させることができる。
【００２４】
図５に示すように、棚板３は、矩形板状の木製の棚板本体３０と、棚板本体３０の幅方向両端部３０ａにそれぞれ設けられた複数（本実施形態では計４個）の下向きコ字状の取付金具３１とを有し、一対の横桟２２ａ，２２ｂ間の隙間Ｓを利用して取付金具３１を左側横桟２２ａまたは右側横桟２２ｂに上方からそれぞれ嵌め合わせることで、右側枠体２１の左側横桟２２ａとこれに対向する左側枠体２０の右側横桟２２ｂとの間に棚板本体３０を架け渡せるように構成されている。このような棚板本体３０は、前側縦桟２ａの前端部から後側縦桟２ｂの後端部に亘って配置される。
【００２５】
図５（ｂ）等に示す複数の取付金具３１は、棚板本体３０の奥行き方向に互いに離間するとともに、それぞれ、棚板本体３０から幅方向に一部分がはみ出して取り付けられ、これにより側枠体２０，２１と棚板３との連結時に、棚板本体３０が縦桟２ａ，２ｂと干渉することなく、縦桟２ａ，２ｂ間に配置されるように設計されている。また、取付金具３１は、棚板３の下面３０ｂに取り付けられる水平部分３１ａと、水平部分３１ａの左右方向両端から下方に延びる直交部分３１ｂ，３１ｂとを有し、直交部分３１ｂ，３１ｂ間の距離が各横桟２２ａ（２２ｂ）の幅とほぼ等しく（より具体的には各直交部分３１ｂ，３１ｂが横桟２２ａ（２２ｂ）の両側面にそれぞれ当接するように）構成されており、取付金具３１を横桟２２ａ，２２ｂに嵌め合わせるだけで、左右一対の側枠体２０，２１の位置決めを簡単かつ適切に行うことができる。さらに、後述するように木製棚１を幅方向に拡張する際には、図５（ｂ）において二点鎖線で示すように、左側横桟２２ａを利用して他の棚板３を架け渡すこともできる。また、これら取付金具３１は、図３に示すように、前側にある取付金具３１が前側縦桟２ａの後端面２ａ３に当接するとともに、後側にある取付金具３１が後側縦桟２ｂの前端面２ｂ３に当接しており、これにより側枠体２０，２１に対して棚板３の前後方向の位置決めを行っている。
【００２６】
このような取付部としての取付金具３１は、木製棚１を前方からみたときに前側縦桟２ａに隠れて見えないので、取付金具３１以外のほぼ全て木製にした場合でも違和感を感じさせず、かつ十分な強度を発揮することができる。これら側枠体２０，２１と棚板３との連結は、取付金具３１を横桟２２ａ，２２ｂから上方に向けて取り外すことで簡単に解除でき、木製棚１の分解も容易に行うことができる。なお、棚板３の構成は上記のものに限定されず、例えば、取付金具３１が棚板本体３０の下面３０ｂ（図５（ｂ）参照）でなく幅方向両端面に取り付けられた構成であってもよく、また、取付金具３１が水平部分３１ａの幅方向一端から直交部分３１ｂが下方に延びる略Ｌ字状のもので、棚板３と側枠体２０，２１との連結が、当該直交部分３１ｂを横桟２２ａ，２２ｂ間の隙間Ｓに挿入することで行える構成であってもよい。また、取付部は金属製に限定されない。
【００２７】
本実施形態では、図２，３に示すように、基本ユニット１Ｕにおいて１つの棚板３を側枠体２０，２１の上端に設けて天板５として機能させている。この場合、図３に示すように、取付金具３１の水平部分３１ａと縦桟２ａ，２ｂの上端面２ａ２とが略等しい高い位置となり、棚板本体３０と縦桟２ａ，２ｂとが干渉することがないため、天板５となる棚板３としては、下方に取り付けられる他の棚板３の棚板本体３０よりも幅寸法が大きく、かつ取付金具３１が棚板本体３０の左右方向両端よりも内側に取り付けられたものを用い、棚板本体３０の幅方向両端部によって縦桟２ａ，２ｂの上端面２ａ２が幅方向に半分程度覆われるようにしている。これにより、後述するように木製棚１を拡張した場合、隣接する天板５としての棚板３，３同士の間に隙間が生じず、木製棚１として一体感を生じさせることができる。なお、棚板３の構成はこれに限定されず、天板５として利用する棚板３と通常の棚板３とを全く同じ構成としてもよい。
【００２８】
また、本実施形態では上端部にある横桟２２ａ，２２ｂを利用して、側枠体２０，２１の奥行方向略中央部に、図２，３に示すポール７が取り付けられている。このポール７は、円柱状のポール本体７０の両端面に、棚板３に備わるものと同様の構成の取付金具３１，３１が取り付けられ、この取付金具３１，３１を介して右側枠体２１の左側横桟２２ａと左側枠体２０の右側横桟２２ｂとの間に取り付けられる。このようなポール７を利用すると、図２，３にそれぞれ二点鎖線で示すように、ハンガーにかけた衣類を身頃を前方または側方に向けて収納可能となる。
【００２９】
また本実施形態では、図２〜４に示すように、左右一対の後側縦桟２ｂ，２ｂの後端面２ｂ１（図３参照）間に亘ってＸ状に木製の筋交６が設けられている。筋交６は、図２に示すように、木製棚１の左側枠体２０の上端部から右側枠体２１の下端部に向けて延びる等厚板状の第１の筋交部材６ａの後方に、右側枠体２１の上端部から左側枠体２０の下端部に向けて延びる等厚板状の第２の筋交部材６ｂを重ねて配置して構成され、後方側にある第２の筋交部材６ｂの上端部と右側枠体２１の上端部との間、および、第２の筋交部材６ｂの下端部と左側枠体２０の下端部との間に、第１の筋交部材６ａと略等しい厚みのスペーサ部材６０（図３参照）を介在させている。これら筋交部材６ａ，６ｂは、例えばビスによって側枠体２０，２１の後側縦桟２ｂ，２ｂに固定される。
【００３０】
また、本実施形態では、棚板３が設けられていない高さ位置において、左右一対の側枠体２０，２１のうち互いに対向する左側枠体２０の右側横桟２２ｂと右側枠体２１の左側横桟２２ａとの間に、着脱可能なオプション部材として、引き出し４を架け渡するように構成している。
【００３１】
図６は、引き出し４の分解斜視図である。引き出し４は、引出部４０とこれを下方から支持する支持部４１とを有する。
【００３２】
引出部４０は、矩形板状の底板４０ａと、底板４０ａの幅方向両端部から起立する側板４０ｂ，４０ｂと、底板４０ａの後端部から起立する背板４０ｃと、鏡板４０ｄとで構成される。鏡板４０ｄは、その幅方向両端部４０ａ２を除いて、上端４０ｄ１から底板４０ａのやや上方の位置まで略矩形状に切り欠かれており、引き出し時に切欠縁部４０ｄ２に指を掛けられるように構成される。また、このような鏡板４０ｄの幅寸法および上下寸法は、後述する支持部４１と略同一であり、鏡板４０ｄの幅方向両端４０ａ２が側板４０ｂ，４０ｂを超えて幅方向に延びるとともに、鏡板４０ｄの下端部４０ａ１が底板４０ａを超えて下方に延びる。また、鏡板４０ｄを除く引出部４０の幅寸法Ｗ３は、後述する支持部４１の幅寸法Ｗ４未満であり、引出部４０は支持部４１内に嵌め込み可能に構成される。
【００３３】
図６に示す支持部４１は、矩形板状の底板４１ａと、底板４１ａの幅方向両端部から起立する側板４１ｂ，４１ｂと、底板４１ａの後端部から起立する背板４１ｃを有する。支持部４１の幅寸法Ｗ４は、互いに対向する左側枠体２０の右側横桟２２ｂと右側枠体２１の左側横桟２２ａとの間の距離、すなわち互いに対向する側枠体２０，２１の内々にある横桟２２ａ，２２ｂ間の距離Ｗ２（図２参照）を超え、かつ左側枠体２０の縦桟２ａ（２ｂ）と右側枠体２１の縦桟２ａ（２ｂ）間の距離、すなわち互いに対向する側枠体２０，２１の縦桟２ａ，２ａ（２ｂ，２ｂ）間の距離Ｗ１（図２参照）未満に構成される。そのため、図６において二点鎖線で示すように、左側横桟２２ａと右側横桟２２ｂとの間に支持部４１を架け渡すことができ、このような支持部４１内に引出部４０を嵌め込むことで、図３に示すように、引出部４０を支持部４１上でスライドさせて基本ユニット１Ｕの前方に向けて引き出すことができる。
【００３４】
このような引き出し４の上下寸法は、特に限定されないが、図３に示すように、上下方向に並ぶ一対の横桟２２ａ，２２ｂ同士の間の距離Ｈの整数倍程度に設定されることが好ましく、本実施形態では、距離Ｈの１倍程度または２倍程度の上下寸法の引き出し４を備えている。このように、引き出し４の上下寸法が距離Ｈの整数倍程度に設定されることで、引き出し４の上方直近に棚板３を配置でき、棚板３によって引出部４０の内部を適切に隠すことができるとともに、側枠体２０，２１のうち、引き出し４の出し入れにより位置ずれが生じやすい箇所を棚板３で一定の離間距離に安定して保つことができる。
【００３５】
このような木製棚１は、ノックダウンが可能で現場で簡単に組み立てることができ、梯子様の側枠体２０，２１を左右に離した位置で支持し、それらの間に棚板３を少なくとも上下２箇所で架け渡すことで自立させるに足る剛性を確保でき、筋交６を取り付けることでさらに組立強度を向上させることができる。
【００３６】
また、図２に示すように、このような基本ユニット１Ｕの左側枠体２０に対して左方向に離間させた位置に別の側枠体（構成は左側枠体２１と同様）２３を配置して、左側枠体２０の左側横桟２２ａとこれに対向する別の側枠体２３の右側横桟２２ｂとの間に棚板３を架け渡すことで、基本ユニット１Ｕを基本単位として木製棚１を簡単に幅方向に拡張させ、左側枠体２０と別の側枠体２３と棚板３とで増設側ユニット２Ｕを構成することができる。同様に、当該別の側枠体２３に対して左方向に離間させた位置に２つ目の別の側枠体（構成は左側枠体２１と同様）２３を配置して、１つ目の別の側枠体２３の左側横桟２２ａとこれに対向する２つ目の別の側枠体２３の右側横桟２２ｂとの間に棚板３を架け渡すことで、木製棚１を簡単に幅方向にさらに拡張させて、２つ目の増設側ユニット３Ｕを構成できる。この場合、拡張時に用いる増設用の側枠体２３及び棚板３は、基本ユニット１Ｕの側枠体２０，２１と全く同じ構成のものを利用してもよいが、例えば図１に二点鎖線で示すように、奥行き寸法が異なる（小さい）側枠体２３´及び棚板３´を用いて、奥行き寸法の小さい増設側ユニットＵ´を構成してもよい。
【００３７】
以上のように、本実施形態の木製什器としての木製棚１は、互いに前後方向に離間する一対の縦桟２ａ，２ｂ、および、これら縦桟２ａ，２ｂを幅方向両側から挟み込んで接続する一対の横桟２２ａ，２２ｂを備え、当該横桟２２ａ，２２ｂが上下方向に沿って複数個所に設けられてなる少なくとも左右一対の側枠体２０，２１と、左右の側枠体２０，２１のうち互いに対向する一方の側枠体としての左側枠体２０の右側横桟２２ｂと他方の側枠体としての右側枠体２１の左側横桟２２ａとの間に架け渡され、当該側枠体２０，２１同士を幅方向に沿って所定の離間距離に保つ棚板３とを有し、棚板３を上下方向の２箇所に配置して構成したものである。
【００３８】
このような構成であると、一対の横桟２２ａ，２２ｂがそれぞれ縦桟２ａ，２ｂの両側から幅方向に突出するので、左右の側枠体２０，２１のうち内々に位置する横桟２２ａ，２２ｂ同士の間に棚板３を架け渡すことで、左右の側枠体２０，２１と上下２箇所に配した棚板３とが連結されて木製棚１として自立するに足る剛性の構造単位を比較的簡単に構成できるとともに、更にこの構造単位に対して右方向に離間させた位置に別の側枠体２３を配置して先に構成された構造単位との間で内々に位置する横桟２２ａ，２２ｂ同士の間に棚板３を掛け渡せば、木製棚１を幅方向に簡単に拡張することができる。この場合、先に構成された構造単位に対して増設側に配置される別の側枠体２３は奥行き寸法が同一である必要はないため、図１に二点鎖線で示すように、拡張位置に形成される増設側ユニットＵ´は構造単位に対して奥行きを異ならせることもできる。また、側枠体２０，２１は、前後一対の縦桟２ａ，２ｂを横桟２２ａ，２２ｂで挟み込んで形成されるものであって、それ自体の作製が簡単であるとともに、このような側枠体２０，２１を予め用意しておけば、現場で側枠体２０，２１間に棚板３を架け渡すだけで木製棚１として簡単に組み立てを行える。また、棚板３を取り外すことで分解も簡単に行える。さらに、一対の横桟２２ａ，２２ｂを等ピッチで上下方向に多数形成すれば梯子様となり、前後の縦桟２ａ，２ｂの間および一対の横桟２２ａ，２２ｂの間には隙間が形成され、背板を設ける必要がないため、シースルー的で風通しのよい木製棚１にすることができる。したがって、木製であることも相俟って、日本の伝統な建築物内に設置しても建物内壁等と調和するとともに、木製であっても組立分解および拡張が簡単に行え、自由なレイアウトが可能な木製棚１を実現することができる。
【００３９】
特に、棚板３が、その幅方向両端部３０ａに下向きコ字状の取付部としての取付金具３１を有し、当該取付金具３１を横桟２２ａ，２２ｂに上方からそれぞれ嵌め合わせて、互いに対向する横桟２２ａ，２２ｂ同士の間に棚板３を架け渡すように構成していることから、取付金具３１を横桟２２ａ，２２ｂに嵌め合わせるだけで、左右一対の側枠体２０，２１の位置決めを簡単かつ適切に行うことができ、組立分解も容易となる。特に、このような取付金具３１を前後に設ければ、これらの取付金具３１を前側縦桟２ａまたは後側縦桟２ｂに当接させて棚板３の前後方向の位置決めを適切に行うことができる。
【００４０】
また、棚板３が設けられていない高さ位置において、左右一対の側枠体２０，２１のうち互いに対向する左側枠体２０の右側横桟２２ｂと右側枠体２１の左側横桟２２ａとの間に着脱可能にオプション部材としての引き出し４を架け渡するように構成しているので、木製棚１の使い勝手を向上させることができる。
【００４１】
とりわけ、引き出し４が、互いに対向する側枠体２０，２１の横桟２２ａ，２２ｂ間に位置決め状態で架け渡される支持部４１と、当該支持部４１上に載置され、幅寸法Ｗ３が当該横桟２２ａ，２２ｂ間の距離Ｗ２よりも小さい引出部４０とで構成されることから、支持部４１上を引出部４０がスライド移動し、引き出し４として有効に機能するとともに、支持部４１を強固に構成することで、引出部４０自体は軽量化しつつ、重量の大きいものを収納可能になる。
【００４２】
さらに、左右一対の側枠体２０，２１の後端部、具体的には左側枠体２０の後側縦桟２ｂの後端面２ｂ１および右側枠体２１の後側縦桟２ｂの後端面２ｂ１間に亘って筋交６を設けていることから、組立強度を向上させることができる。
【００４３】
以上、本発明の一実施形態について説明したが、各部の具体的な構成や断面形状、材料等は上述した実施形態のみに限定されるものではない。
【００４４】
例えば、棚板３および引き出し４の構成は上述のものに限定されず、図７〜図１０の変形例に示すものを用いてもよい。図７は、変形例である木製棚１Ａを示す正面図であり、図８は、図７に示す木製棚１Ａを切断面線Ｄ−Ｄで切断して示す側断面拡大図であり、図９は、図７に示す側枠体２３と棚板３との連結部Ｙを示す図であり、図１０は、木製棚１Ａに取り付け可能な引き出し４２を示す斜視図である。以下、上記本実施形態と同様の構成については同じ符号を付して記載を省略する。
【００４５】
具体的に、本実施形態では増設側ユニット２Ｕ，３Ｕの棚板３として基本ユニット１Ｕの棚板３と同様の構成のものを用い、基本ユニット１Ｕと増設側ユニット２Ｕ，３Ｕの幅寸法をほぼ同じにしているが、図７に示すように、増設側ユニット６Ｕ，７Ｕの棚板３として、基本ユニット４Ｕの棚板３よりも幅寸法が小さいものを用いて、増設側ユニット６Ｕ，７Ｕの幅寸法が基本ユニット４Ｕの幅寸法よりも小さくなるようにしてもよい。
【００４６】
また、図９に示すように、取付部を有さず、棚板本体３０Ａの四隅を縦桟２ａ，２ｂの側面２ａ１形状に沿って矩形状（平面視略Ｌ字状）に切り欠いて切欠部３０Ａ１を形成した棚板３Ａを用いてもよい。この棚板３Ａは、切欠部３０Ａ１を前後の縦桟２ａ，２ｂの側面２ａ１にそれぞれ突き合せる、より具体的には、切欠部３０Ａ１の前縁３０Ａ２を前側縦桟２ａの後端面に突き合せるとともに、切欠部３０Ａ１の側縁３０Ａ３を縦桟２ａ，２ｂの左右方向端面に突き合せることができ、これにより左右の側枠体２３，２３間の離間距離を保って、棚板３を前後方向に位置決めすることができる。
【００４７】
このように、棚板３Ａの四隅を縦桟２ａ，２ｂの側面２ａ１の形状に沿って切り欠き、これら切欠部３０Ａ１を左右一対の側枠体２３，２３が備える縦桟２ａ，２ｂの側面２ａ１にそれぞれ突き合わせて、互いに対向する横桟２２ａ，２２ｂ同士の間に棚板３Ａを架け渡す構成とすることで、切欠部３０Ａ１を縦桟２ａ，２ｂの側面２ａ１に突き合せるだけで、左右一対の側枠体２３，２３同士を離間させて簡単に離間距離を確保することができるとともに、棚板３Ａの奥行き方向の位置決めを簡単に行うことができる。
【００４８】
さらに、図１０に示すように、矩形板状の底板４２ａと、底板４２ａの両端部から起立する側板４２ｂ，４２ｂと、底板４２ａの後端部から起立する背板４２ｃとを有する引き出し４２をオプション部材として用いてもよい。底板４２ａは、互いに対向する側枠体２３，２３の内々にある横桟２２ａ，２２ｂ間の距離Ｗ２（図７参照）を超え、かつ互いに対向する側枠体２３，２３の縦桟２ａ，２ａ（２ｂ，２ｂ）間の距離Ｗ１（図７参照）未満の幅寸法に構成され、同図に二点鎖線で示すように、側枠体２３，２３の内々にある横桟２２ａ，２２ｂ間に架け渡すことが可能に構成されている。また側板４２ｂ，４２ｂ間の距離は、互いに対向する側枠体２３，２３の内々にある横桟２２ａ，２２ｂ間の距離Ｗ２（図７参照）未満に構成され、底板４２ａの幅方向両端よりも内側に入り込んだ位置から起立している。なお、底板４２ａの幅寸法は、基本ユニット４Ｕまたは増設側ユニット５Ｕ〜７Ｕの幅寸法に応じて設定される。このように、引き出し４２は、側板４２ｂ，４２ｂ、背板４２ｃおよび底板４２ａの一部からなる引き出し本体４２´から幅方向に突出する突出部４２ｄ，４２ｄを有し、この突出部４２ｄ，４２ｄが底板４２ａの幅方向両端部によって構成され、突出部４２ｄ，４２ｄを利用して、側枠体２３，２３の内々にある横桟２２ａ，２２ｂ間に架け渡し可能に構成される。またこのような構成の引き出し４２は、突出部４２ｄ，４２ｄが横桟２２ａ，２２ｂの上面をスライドし、全体が木製棚１Ａから引き出し可能であるが、突出部４２ｄ，４２ｄを引き出し４２の奥行方向中央部から後端部にかけて設けるとともに、左右の突出部４２ｄ，４２ｄが互いに対向する側枠体２３，２３の縦桟２ａ，２ａ（２ｂ，２ｂ）間の距離Ｗ１（図７参照）を超えた位置まで延びる構成とすることで、引き出し途中で突出部４２ｄ，４２ｄが前側縦桟２ａの後端面に突き当たり、抜け止めとなるように構成してもよい。
【００４９】
さらに、本実施形態では基本ユニット１Ｕおよび増設側ユニット２Ｕ，３Ｕのすべてにおいて上下２箇所に棚板３が設けられるが、図７に示すように、基本ユニット４Ｕにおいて少なくとも２箇所に棚板３が設けられていれば、増設側ユニット５Ｕには棚板３が２箇所以上設けられなくてもよい。
【００５０】
また、図１１（ａ）は、他の変形例である木製棚１Ｂを示す正面図であり、図１１（ｂ）は、他の変形例である木製棚１Ｂを示す平面図である。上記実施形態では引き出し４（４２）が取り付けられているが、図１１に示す木製棚１Ｂのように引き出し４（４２）が取り付けられない構成であってもよい。また、上記実施形態では棚板３（３Ａ）の幅寸法に合わせて側枠体２０，２１（２３，２３）を配置しているが、増設側ユニット１０Ｕのように、天板５となる棚板３Ａ´が側枠体２３を幅方向に超えてオーバーラップするように構成してもよい。なお、木製棚１Ｂで用いる棚板３Ａ，３Ａ´は、取付部を備えず図９に示すような切欠部３０Ａ１によって側枠体２０，２１（２３，２３）間に位置決めされるものであるが、木製棚１Ｂにおいて図５に示すような取付金具３１を備える棚板３を用いてもよい。この場合、オーバーラップする棚板３Ａ´に対しては、幅方向一端および略中央部にそれぞれ取付部を設けることが考えられる。さらに、同図（ａ）に示すように、基本ユニット８Ｕおよび増設側ユニット９Ｕ，１０Ｕにおいて上下方向に沿って３箇所に棚板３（３Ａ）が取り付けてもよく、さらに４箇所以上に棚板３を設けてもよい。
【００５１】
図１２（ａ）は、さらに他の変形例である木製棚１Ｃの基本ユニット１１Ｕを示す正面図であり、図１２（ｂ）は、基本ユニット１１Ｕの側面図である。基本ユニット１１Ｕは、棚板３Ｂが前記取付金具３１等を備えず、単なる矩形板である点が上記実施形態と異なる。このような基本ユニット１１Ｕでは、複数の横桟２２ａ，２２ｂのうち最も上にある横桟２２ａ，２２ｂに支持され、一対の側枠体２０，２１の上端部に配置された棚板３Ｂである天板５と、複数の横桟２２ａ，２２ｂのうち最も下にある横桟２２ａ，２２ｂに支持され、一対の側枠体２０，２１の下端部に配置された棚板３Ｂである底板５ａとが、側枠体２０，２１に直接固定される。これにより、少なくとも上下方向の２箇所で側枠体２２ａ，２２ｂ同士が固定され、側枠体２０，２１間で所定の離間距離が確保される。天板５および底板５ａ（脚固め用棚板）は、ビスや蝶ネジ、接着剤などで側枠体２０，２１に固定される。また、棚板３Ｂは、例えば、タモ材、シナランバーなどで構成される。なお、側枠体２０，２１の下端部に配置されるものであれば、底板５ａよりも上方に配置される他の棚板３Ｂにより側枠体２０，２１同士が固定され、底板５ａが側枠体２０，２１に固定されない構成であってもよい。また、３枚以上の棚板３Ｂが側枠体２０，２１に固定されてもよい。
【００５２】
このような側枠体２０，２１間には、同図（ｂ）のように、棚板３Ｂが前方から横桟２２ａ，２２ｂの上面に沿ってスライド挿入され、横桟２２ａ，２２ｂ上に載置される（スライド式）。これらの棚板３Ｂは、側枠体２０，２１間の位置決めに関与せず、側枠体２０，２１間から抜き差し自在に架け渡される（側枠体２０，２１に対してフリー）。
【００５３】
また、同図（ａ）に二点鎖線で示すように、側枠体２０，２１間には、両端部の下半分が切り欠かれた部分が横桟２２ａ，２２ｂに係合する略円柱状のポール（ハンガーポール）７ａが架け渡されてもよい。このポール７ａは、横桟２２ａ，２２ｂとの接触面にゴムなどの図示しない滑り止め材が貼付され、持ち上げられない限り、横桟２２ａ，２２ｂに対して動かない構成になっている。
【００５４】
また、これら側枠体２０，２１の後端部、天板５の後端部及び底板５ａの後端部には、有孔板によって構成された固定部材としての背板６１がそれぞれ固定され、あてがわれている。背板６１も天板５および底板５ａと同様に、ビスや蝶ネジ、接着剤などで固定される。また、背板６１は、例えば、シナ材などで構成される。背板６１には、ほぼ全体に亘って複数の小孔６２が形成されており、窓などの前方に基本ユニット１１Ｕが配置された場合には、背後から小孔６２を介して光を取り込むことができる。なお、固定部材として、背板６１の代わりに、側枠体２０，２１、天板５および底板５ａの各後端部に固定される筋交いが適用されてもよい。また、背板６１は小孔６２が形成されないものであってもよい。
【００５５】
なお、このような基本ユニット１１Ｕを単体で木製棚１Ｃとしてもよく、基本ユニット１１Ｕに上述したような増設側ユニットを連結させて木製棚１Ｃとしてもよい。
【００５６】
このように、棚板３Ｂとして、少なくとも、一対の側枠体２０，２１の上端部にそれぞれ固定される天板５と、当該天板５よりも下方で一対の側枠体２０，２１に固定される底板５ａとが用いられることから、取付金具３１を有する棚板３などを用いることなく、側枠体２０，２１に固定される天板５および底板５ａにより側枠体２０，２１間を所定の離間距離に保ち、什器として自立するに足る剛性を確保できるので、特に固定に接着剤を用いることで全体を木製（オール木造）とする木製棚１Ｃを実現できる。
【００５７】
とりわけ、左右一対の側枠体２０，２１の後端部、天板５の後端部及び天板５よりも下方で側枠体２０，２１に固定される底板５ａの後端部にあてがわれる固定部材を有することから、基本ユニット１１Ｕの枠体構造の剛性をより強化できる。
【００５８】
特に、固定部材が有孔板によって構成された背板６１であることから、側枠体２０，２１、天板５および底板５ａの少なくとも４辺からなる枠体を面で固定でき、基本ユニット１１Ｕに斜めにねじる方向への力が加えられても十分な剛性が発揮されるとともに、有孔６２によって背後から採光を確保することもできる。また、有孔６２を介して背板６１に図示しないフック部材などを掛けることもでき、利便性を向上させることができる。
【００５９】
また、図１３は、図１２に示す木製棚１Ｃの変形例である。図１３に示す木製棚１Ｄは、前後方向の長さが略等しい一対の側枠体２１，２３ａにおいて、一方の側枠体２１よりも他方の側枠体２３ａが前方にずれて配置され、天板５および底板ａが平行四辺形状であるとともに、側枠体２１，２３ａ間に、側枠体２１，２３ａに固定されず位置決めに関与しない１または２以上の平行四辺形状の棚板３Ｃが前方から側枠体２１，２３ａに沿って水平にスライド挿入可能な基本ユニット１２Ｕを備える点が木製棚１Ｃと異なる。また、固定部材として、平面視略平行四辺形状の背板６１ａがあてがわれている。基本ユニット１２Ｕには、側枠体２１を利用して、側枠体２１と横並びに増設側ユニット１３Ｕが増設される。なお、棚板３Ｃは、側枠体２１，２３ａに当接する少なくとも幅方向の２辺が平行であればよく、平行四辺形に限定されない。
【００６０】
このように、一対の側枠体２１，２３ａが、互いに前後方向にずれて配置されており、側枠体２１，２３ａに固定されない１または２以上の棚板３Ｃがさらに用いられ、棚板３Ｃが、少なくとも幅方向の２辺が互いに平行で、側枠体２１，２３ａに沿って前方から挿入されて横桟２２ａ，２２ｂ上に載置される構成であることから、後方にある側枠体２１を利用して壁面Ｗ１に沿って増設側ユニット１３Ｕの増設を可能にしつつ、壁面Ｗ１と直交する壁面Ｗ２に前方にある側枠体２３ａを沿わせることができ、側枠体２１，２３ａに沿って前方から横桟２２ａ，２２ｂ上に棚板３Ｃをスライド挿入させることができる。そのため、特に部屋のコーナーＲに適切に配置できる構成としつつ、側枠体２１，２３ａ間に側枠体２１，２３ａの位置決めに関与しない棚板３Ｃを簡単に抜き差し可能に配置でき、構造の斬新さと利便性とを両立させた木製棚１Ｄを実現できる。
【００６１】
なお、図１２に示す側枠体２０，２１間にスライド挿入可能な棚板３Ｂ、または、図１３に示す側枠体２１，２３ａ間にスライド挿入可能な棚板３Ｃには、その後縁部および幅方向両側縁部の３方に、たとえばシナベニアなどからなる立ち上がり（背板、側板）がそれぞれ設けられてもよい（箱型棚板、仕切り箱）。
【００６２】
また、上記実施形態では筋交６または背板６１，６１ａが設けられるが、これら筋交６および背板６１が設けられない構成であってもよい。
【００６３】
さらに、本発明の構成を棚ではなく、テーブルなどの他の什器に適用してもよい。
【００６４】
その他の構成も、本発明の趣旨を逸脱しない範囲で種々変形が可能である。
【符号の説明】
【００６５】
１，１Ａ，１Ｂ，１Ｃ，１Ｄ・・・木製棚（木製什器）
２ａ，２ｂ・・・縦桟
２ａ１・・・縦桟の側面
３，３´，３Ａ，３Ｂ，３Ｃ・・・棚板
４，４２・・・引き出し（オプション部材）
５・・・天板
５ａ・・・底板
６・・・筋交
２０，２１，２３，２３´，２３ａ・・・側枠体
２２ａ，２２ｂ・・・横桟
３０ａ・・・棚板の幅方向両端部
３１・・・取付金具（取付部）
４０・・・引出部
４１・・・支持部
６１・・・背板（固定部材）
Ｗ２・・・横桟間の距離
Ｗ３・・・幅寸法（引出部の幅方向の長さ）
【図１】
2017029556.tif 000003
【図２】
2017029556.tif 000004
【図３】
2017029556.tif 000005
【図４】
2017029556.tif 000006
【図５】
2017029556.tif 000007
【図６】
2017029556.tif 000008
【図７】
2017029556.tif 000009
【図８】
2017029556.tif 000010
【図９】
2017029556.tif 000011
【図１０】
2017029556.tif 000012
【図１１】
2017029556.tif 000013
【図１２】
2017029556.tif 000014
【図１３】
2017029556.tif 000015